(57)【要約】【課題】取得した生体情報に基づく情報を利用者にとって認識しやすくすることができる生体情報検出装置、及び生体情報検出プログラムを提供することを目的とする。【解決手段】生体信号を検出することで得られた生体情報を取得する取得部と、取得部が取得した生体情報の値の大きさに基づいて、生体情報に関連づけられた画像の表示位置を表示部上で移動させる制御部と、を備える。【選択図】図１
2014131553.tif 000002
【特許請求の範囲】
【請求項１】
生体信号を検出することで得られた生体情報を取得する取得部と、
前記取得部が取得した前記生体情報の値の大きさに基づいて、前記生体情報に関連づけられた画像の表示位置を表示部上で移動させる制御部と、
を備えることを特徴とする生体情報検出装置。
【請求項２】
前記制御部は、
前記表示部に対して上下方向、左右方向、及び斜め方向のうち少なくとも１つの方向に前記生体情報に関連づけられた画像を前記表示部上で移動させる
ことを特徴とする請求項１に記載の生体情報検出装置。
【請求項３】
前記制御部は、
前記生体情報に基づく画像を移動させて前記表示部に表示されるとき、該生体情報に関連づけられた画像の一部を表示させる
ことを特徴とする請求項１または請求項２に記載の生体情報検出装置。
【請求項４】
前記生体情報に関連づけられた画像は、
上下方向に非対象の形状である
ことを特徴とする請求項１から請求項３のいずれか１項に記載の生体情報検出装置。
【請求項５】
前記制御部は、
前記生体情報に関連づけられた画像を前記表示部上で移動させた位置に応じた音を報知部から出力する
ことを特徴とする請求項１から請求項４のいずれか１項に記載の生体情報検出装置。
【請求項６】
前記生体情報は、心拍を表す情報であり、
前記制御部は、前記心拍の大きさに応じて、該心拍に対応づけられた画像の表示位置を前記表示部上で移動させる
ことを特徴とする請求項１から請求項５のいずれか１項に記載の生体情報検出装置。
【請求項７】
生体情報検出装置のコンピュータに、
生体信号を検出することで得られた生体情報を取得する取得部が取得した前記生体情報の値の大きさに基づいて、前記生体情報に関連づけられた画像の表示位置を表示部上で移動させるステップ
を実行させるための生体情報検出プログラム。
【発明の詳細な説明】
【技術分野】
【０００１】
本発明は、生体情報検出装置、及び生体情報検出プログラムに関する。
【背景技術】
【０００２】
利用者の運動中の生体情報を取得する生体情報検出装置がある。生体情報検出装置は、例えば利用者の腕に装着して使用される。生体情報検出装置は、取得した生体情報を表示部に表示する。利用者は、表示部に表示される情報を見て、自分の運動状態を確認する。
【０００３】
例えば、生体情報検出装置は、運動中に運動内容のハードさを示す負荷データと運動消費量を示す運動消化量データを測定し、測定したデータに基づいて、運動状態を表示部に表示する。生体情報検出装置は、脈拍を検出する心拍センサ、検出された脈拍を所定時間間隔毎に取得して管理装置に出力する装着装置、装着装置から出力されたデータを表示部に表示する管理装置とで構成される。装着装置は、利用者の腕に装着される
管理装置は、取得したデータを検出された時刻毎に、放射線状に配置する。また、管理装置は、取得したデータを時刻毎に異なる位置に円形で表示する。そして、管理装置は、表示部に表示される円形の大きさが運動量消費量を示すように決定し、円形の色が直前の１分間で把握された運動内容のハードさを示すように決定して表示することが提案されている（例えば、特許文献１参照）。
【先行技術文献】
【特許文献】
【０００４】
【特許文献１】特許第４８４０１４７号公報
【発明の概要】
【発明が解決しようとする課題】
【０００５】
しかしながら、特許文献１に記載の技術では、利用者は、データを表す円形の大きさの違いや色の違いから運動量を自分で認識する必要がある。このため、特許文献１に記載の技術では、利用者が運動をしながら管理装置の表示を見た場合、表示部に表示される情報から、自分の運動状態を直感的に速やかに把握することが困難であるという問題点があった。
【０００６】
本発明は、上記の事情に鑑み成されたものであって、取得した生体情報に基づく情報を利用者にとって認識しやすくすることができる生体情報検出装置、及び生体情報検出プログラムを提供することを目的とする。
【課題を解決するための手段】
【０００７】
上記目的を達成するため、本発明の一態様に係る生体情報検出装置は、生体信号を検出することで得られた生体情報を取得する取得部と、前記取得部が取得した前記生体情報の値の大きさに基づいて、前記生体情報に関連づけられた画像の表示位置を表示部上で移動させる制御部と、を備えることを特徴としている。
【０００８】
また、本発明の一態様に係る生体情報検出装置において、前記制御部は、前記表示部に対して上下方向、左右方向、及び斜め方向のうち少なくとも１つの方向に前記生体情報に関連づけられた画像を前記表示部上で移動させるようにしてもよい。
【０００９】
また、本発明の一態様に係る生体情報検出装置において、前記制御部は、前記生体情報に基づく画像を移動させて前記表示部に表示されるとき、該生体情報に関連づけられた画像の一部を表示させるようにしてもよい。
【００１０】
また、本発明の一態様に係る生体情報検出装置において、前記生体情報に関連づけられた画像は、上下方向に非対象の形状であるようにしてもよい。
【００１１】
また、本発明の一態様に係る生体情報検出装置において、前記制御部は、前記生体情報に関連づけられた画像を前記表示部上で移動させた位置に応じた音を報知部から出力するようにしてもよい。
【００１２】
また、本発明の一態様に係る生体情報検出装置において、前記生体情報は、心拍を表す情報であり、前記制御部は、前記心拍の大きさに応じて、該心拍に対応づけられた画像の表示位置を前記表示部上で移動させるようにしてもよい。
【００１３】
上記目的を達成するため、本発明の一態様に係る生体情報検出プログラムは、生体情報検出装置のコンピュータに、生体信号を検出することで得られた生体情報を取得する取得部が取得した前記生体情報の値の大きさに基づいて、前記生体情報に関連づけられた画像の表示位置を表示部上で移動させるステップを実行させることを特徴としている。
【発明の効果】
【００１４】
本発明によれば、取得した生体情報に基づく情報を利用者にとって認識しやすくすることができる。
【図面の簡単な説明】
【００１５】
【図１】本実施形態に係る心拍計測システムの構成を示すブロック図である。
【図２】心拍計測装置の外観の一例を示す図である。
【図３】出力装置の外観の一例を示す図である。
【図４】本実施形態に係る装着検出回路、心拍検出回路の構成例を説明する概略回路図である。
【図５】本実施形態に係るマークを説明する図である。
【図６】本実施形態に係る心拍計測装置の動作例を説明するフローチャートである。
【図７】本実施形態に係る心拍数に応じた表示部に表示される画像の例である。
【発明を実施するための形態】
【００１６】
以下、本発明の実施の形態について図面を参照しながら説明する。また、以下の例では、生体情報検出装置の一例として、心拍計測システムを例に説明する。
【００１７】
図１は、本実施形態に係る心拍計測システム１の構成を示すブロック図である。心拍計測システム１は、心拍計測装置１００、及び出力装置２００を備えている。図２は、心拍計測装置１００の外観の一例を示す図である。図２に示すように、心拍計測装置１００は、利用者の胸部の全周に亘って装着されるように略環状に形成されている。心拍計測装置１００は、利用者の胸部にベルトによって装着され、一対の電極を身体の胸部（生体表面）に接触させることにより、心臓の鼓動に伴って発生する心電信号を検出し、検出した心電信号に基づいて心拍数を算出する。図３は、出力装置２００の外観の一例を示す図である。図３に示すように、出力装置２００は、例えば腕時計型のものであって、利用者の手首（腕）にベルトによって装着される。出力装置２００は、利用者の手首の全周に亘って装着されるように略環状に形成されている。
【００１８】
図１に示すように、心拍計測装置１００は、電源部１１０、計測部１２０、送信回路１３０、及びアンテナ１４０を含んで構成されている。
電源部１１０は、心拍計測装置１００が備える各部に電力を供給する。
計測部１２０は、電極１２１、電極１２２、装着検出回路１２３、心拍検出回路１２４、及び制御部１２５を含んで構成されている。計測部１２０は、一定時間毎に利用者の心拍数を計測し、計測した心拍数を送信回路１３０へ出力する。
電極１２１と電極１２２とは、一対の電極であり、心臓の鼓動に伴って発生する心電信号を検出する。
【００１９】
利用者が心拍計測装置１００を胸部に装着すると、電極１２１と電極１２２との間に皮膚抵抗ＲＨが形成され、この皮膚抵抗ＲＨに応じた電流が両電極間に流れる。
装着検出回路１２３は、両電極間に流れる電流に基づく電圧により、利用者が心拍計測装置１００を装着したか否かを検出し、検出した結果を示す装着検出信号を制御部１２５に出力する。
心拍検出回路１２４は、電極１２１と電極１２２とが検出した心電信号を増幅し、増幅した心電信号を制御部１２５に出力する。
【００２０】
制御部１２５は、装着検出回路１２３から入力された装着検出信号に基づいて、心拍計測装置１００が利用者の胸部に装着されていることを検出する。制御部１２５は、心拍検出回路１２４から出力される心電信号のパルス間隔に応じて心拍数を算出する。なお、心電信号のパルス間隔とは、例えば心電信号のピーク間の間隔である。
また、制御部１２５は、心拍計測装置１００が利用者の胸部に装着されていると判定されたとき、算出した心拍数を示す情報を計測結果として送信回路１３０へ出力する。送信回路１３０は、その計測結果を、アンテナ１４０を介して出力装置２００に送信する。
【００２１】
出力装置２００は、電源部２１０、アンテナ（取得部）２２０、受信回路（取得部）２３０、制御部２４０、表示部２５０、入力部２６０、報知部２７０、照明部２８０、及び装着部２９０を含んで構成されている。
電源部２１０は、出力装置２００が備える各部（除く装着部２９０）に電力を供給する。
受信回路２３０は、心拍計測装置１００から送信される心拍数を示す情報を、アンテナ２２０を介して受信し、受信した心拍数を示す情報を制御部２４０に出力する。
【００２２】
制御部２４０は、出力装置２００が備える各部を制御する。また、制御部２４０は、心拍計測装置１００から受信した情報に基づいて、心拍数を表示部２５０に表示する。制御部２４０は、後述するように、表示部２５０に表示された心拍数に対応づけられた画像を移動させて表示部２５０上で移動させる。
表示部２５０は、情報を表示するディスプレイである。表示部２５０は、一例として液晶表示装置（ＬＣＤ）によって構成される。表示部２５０には、心拍数の表示以外に、例えば時刻が表示される。
入力部２６０は、利用者からの操作入力を検出し、検出した結果に基づく情報を制御部２４０に出力する。
【００２３】
報知部２７０は、音を出力する装置であり、例えばスピーカである。例えば、報知部２７０は、利用者からの操作入力を検出する毎に音を出力するようにしてもよい。
照明部２８０は、暗い場所等においても表示部２５０を利用者が視認できるように、入力部２６０が検出した結果に応じて、表示部２５０に光を照射する。
装着部２９０は、出力装置２００を利用者の腕に装着するものであり、例えばベルトである。
【００２４】
図４は、本実施形態に係る表示部２５０に表示される画像３００を説明する図である。
図４に示すように、表示部２５０に表示される画像３００は、心拍数を示す画像３１１、心拍数に対応つけられた画像（以下、マークという）３１２、及び心拍数の状態を示す文字画像３１３を含んでいる。
心拍数を示す画像３１１は、１分間の拍動の数を示す値の画像である。
マーク３１２は、後述するように、心拍数に応じて、上下方向に表示位置が移動して表示部２５０に表示される。マーク３１２は、マーク３１２の中心を通る水平な線に対して上下が非対称の形状の画像であり、例えばハートの形状である。また、マーク３１２は、マーク３１２の中心を通る垂直な線に対して左右が非線対称であっても線対象であってもよい。マーク３１２の形状は、ハートの形状以外であってもよい。
【００２５】
心拍数の状態を示す文字画像３１３は、心拍数が予め定められている心拍数の下限値と上限値との範囲内であるか、下限値未満であるか、上限値より高いか等を文字情報により示す画像である。例えば、画像「ＩＮ」は、心拍数が予め定められている下限値と上限値との範囲内である場合の画像である。画像「ＬＯ」は、心拍数が予め定められている下限値未満である場合の画像である。画像「ＨＩ」は、心拍数が予め定められている上限値より高い場合の画像である。
【００２６】
予め定められている上限値と下限値は、例えば、利用者が出力装置２００を操作して、入力するようにしてもよい。また、予め定められている上限値と下限値は、利用者の心拍情報や、生体情報などに基づいて制御部２４０が算出して決定するようにしてもよい。
なお、図４では、表示部２５０に表示される画像の一例として心拍数に関係する表示のみの例を示したが、出力装置２００が時計機能を有する場合は、時刻等も表示するようにしてもよい。
【００２７】
図５は、本実施形態に係るマーク３１２を説明する図である。図５（ａ）は、マーク３１２の上下方向における中心位置を説明する図であり、図５（ｂ）〜図５（ｄ）は、上下方向の異なる位置にマーク３１２が表示されている一例の図である。図５（ｂ）〜図５（ｄ）において、上下位置ｐ１は、画像３００の下辺の位置であり、上下位置ｐ２は、画像３００の水平方向の中心であり、上下位置ｐ３は、画像３００の上辺の位置である。
【００２８】
図５（ａ）に示すように、マーク３１２の上下方向の画素数が６画素の場合、マーク３１２の上下方向の中心（以下、上下方向の中心位置という）Ｃは、３画素目と４画素目の間である位置である。
図５（ｂ）に示した例は、マーク３１２の上下方向の中心位置Ｃが、画像３００の上下位置ｐ２である場合の画像である。上下位置ｐ２は、画像３００の上辺の上下位置ｐ３と下辺の上下位置ｐ１との中間の位置である。図５（ｂ）に示した上下位置ｐ２にマーク３１２の中心が重なるように表示されるのは、心拍数が予め定められている心拍数の下限値と上限値との範囲内である場合である。
【００２９】
図５（ｃ）に示した例は、マーク３１２の上下方向の中心位置Ｃが、画像３００の上下方向の位置ｐ１である場合の画像である。図５（ｃ）に示した上下位置ｐ１にマーク３１２の中心が重なるように表示されるのは、心拍数が予め定められている心拍数の下限値未満である場合である。図５（ｃ）では、マーク３１２が、図５（ｂ）の状態から、上下方向の中心位置が上下位置ｐ２から上下位置ｐ１になるように、矢印ｇ１分だけ向かって下向きに移動して表示される。
図５（ｄ）に示した例は、マーク３１２の上下方向の中心位置Ｃが、画像３００の上下位置ｐ３である場合の画像である。図５（ｄ）に示した上下位置ｐ３にマーク３１２の中心が重なるように表示されるのは、心拍数が予め定められている心拍数の上限値より高い場合である。図５（ｄ）では、マーク３１２が、図５（ｂ）の状態から、水平方向の中心位置が上下位置ｐ２から上下位置ｐ３になるように、矢印ｇ２分だけ向かっての上向きに移動して表示される。
【００３０】
次に、出力装置２００の制御部２４０が行う心拍数に基づくマーク３１２の表示処理の例を説明する。
図６は、本実施形態に係る心拍計測システム１の処理手順のフローチャートである。
【００３１】
（ステップＳ１）心拍計測装置１００の制御部１２５は、心拍検出回路１２４から出力される心電信号のパルス間隔に応じて心拍数を算出し、算出した心拍数を示す情報を出力装置２００に送信する。
（ステップＳ２）制御部２４０は、心拍計測装置１００から受信した心拍数を示す情報が、予め定められている心拍数の下限値ＨＲ２未満であるか、予め定められている下限値ＨＲ２と上限値ＨＲ３との間の範囲であるか、予め定められている上限値ＨＲ３より高いかを判別する。制御部２４０は、心拍数を示す情報が、予め定められている心拍数の下限値ＨＲ２未満であると判別した場合（ステップＳ２；ＨＲ２未満）、ステップＳ３に進む。制御部２４０は、心拍数を示す情報が、予め定められている心拍数の下限値ＨＲ２と上限値ＨＲ３との間の範囲であると判別した場合（ステップＳ２；ＨＲ２〜ＨＲ３）、ステップＳ４に進む。制御部２４０は、心拍数を示す情報が、予め定められている心拍数の上限値ＨＲ３より高いと判別した場合（ステップＳ２；ＨＲ３より高い）、ステップＳ５に進む。
【００３２】
（ステップＳ３）心拍数を示す情報が、予め定められている心拍数の下限値ＨＲ２未満であると判別した場合、制御部２４０は、マーク３１２の中心位置が画像３００の上下位置ｐ２から上下位置ｐ１に来るように、マーク３１２を向かって下方向に移動させる。
（ステップＳ４）予め定められている心拍数の下限値ＨＲ２と上限値ＨＲ３との間の範囲であると判別した場合、制御部２４０は、マーク３１２の中心位置が画像３００の上下位置ｐ２に来るため、マーク３１２は移動させない。
（ステップＳ５）予め定められている心拍数の上限値ＨＲ３より高いと判別した場合、制御部２４０は、マーク３１２の中心位置が画像３００の上下位置ｐ２から上下位置ｐ３に来るように、マーク３１２を向かって上方向に移動させる。
以後、心拍計測システム１は、ステップＳ１〜Ｓ５の処理を繰り返す。
【００３３】
図７は、本実施形態に係る心拍数に応じた表示部２５０に表示される画像の例である。図７において、画像３１１ａ〜３１１ｅは心拍数を示す画像であり、画像３１２ａ〜３１２ｅはマークであり、画像３１３ｂ〜３１３ｄは、心拍数の状態を示す文字画像である。また、心拍数ＨＲ１は、予め定められている心拍数の下限値ＨＲ２よりもさらに低い心拍数であり、心拍数ＨＲ４は、予め定められている心拍数の上限値ＨＲ３よりもさらに高い心拍数である。また、マーク３１２ａ〜３１２ｅを総称してマーク３１２という。また、画像３００ａ〜３００ｅを総称して画像３００という。
【００３４】
心拍数がＨＲ１未満の場合、マーク３１２ａは、上下方向の中心位置Ｃが画像３００ａの下辺の上下位置になるように、向かって下方向に移動して表示される。この場合、心拍数が予め定められている下限値ＨＲ２未満であり、さらに予め定められているＨＲ１未満でもあるため、制御部１２５は、画像３００の左端に心拍数の状態を示す文字画像を表示しない。
心拍数がＨＲ１と下限値ＨＲ２との間の場合、マーク３１２ｂは、上下方向の中心位置Ｃが画像３００ｂの下辺の上下位置になるように、向かって下方向に移動して表示される。また、画像３００ｂの左端に、心拍数の状態を示す文字画像「ＬＯ」が表示される。
【００３５】
心拍数がＨＲ２と上限値ＨＲ３との間の場合、マーク３１２ｃは、上下方向の中心位置Ｃが画像３００ｃの中心の上下位置であるため、移動しないで表示される。また、画像３００ｃの左端に、心拍数の状態を示す文字画像「ＩＮ」が表示される。
心拍数が上限値ＨＲ３とＨＲ４との間の場合、マーク３１２ｄは、上下方向の中心位置Ｃが画像３００ｄの上辺の上下位置になるように、向かって上方向に移動して表示される。また、画像３００ｄの左端に、心拍数の状態を示す文字画像「ＨＩ」が表示される。
心拍数がＨＲ４より高い場合、マーク３１２ｅは、上下方向の中心位置Ｃが画像３００ｅの上辺の上下位置になるように、向かって上方向に移動して表示される。この場合、心拍数が予め定められている値ＨＲ４より高いため、制御部１２５は、画像３００の左端に心拍数の状態を示す文字画像を表示しない。ここで、値ＨＲ４は、上限値ＨＲ３より大きい。
【００３６】
図７に示したように、心拍数が上限値ＨＲ３より高い場合、マーク３１２は、画像の上半分が欠けて画像３００の上辺に張り付いているように利用者に見えるように、制御部２４０が上方向に移動させて表示部２５０に表示される。このように心拍数が低い状態から高い状態に変化した場合、マーク３１２は、マーク３１２の中心位置が画像の下から上に向かって移動して見えるように、制御部２４０がマーク３１２を上方向に移動させて表示部２５０に表示させる。
【００３７】
以上のように、本実施形態に係る生体情報検出装置（心拍計測システム１）は、体信号を検出することで得られた生体情報を取得する取得部（アンテナ２２０、受信回路２３０）と、取得部が取得した生体情報の値の大きさに基づいて、生体情報に関連づけられた画像の表示位置を表示部上で移動させる制御部２４０と、を備える。
この構成により、本実施形態に係る生体情報検出装置は、表示部に、利用者の生体情報に基づく画像が移動されて表示される。この結果、本実施形態に係る生体情報検出装置は、取得した生体情報に基づく情報を利用者にとって認識しやすくすることができる。これにより、本実施形態に係る生体情報検出装置は、利用者が運動をしながら管理装置の表示を見た場合、利用者は、表示部に表示される情報から、自分の運動状態を直感的に速やかに把握することが容易になる効果がある。
また、上記のように移動させて表示させることにより、小さい（狭い）表示領域であっても、動かして表示させることで、その時の状態を、ユーザーに直感的に把握させることができる効果もある。
【００３８】
なお、図５、図７では、マーク３１２の中心位置を画像３００の位置ｐ１、ｐ２、及びｐ３のいずれかに移動させて表示する例を説明したが、これに限られない。例えば、制御部１２５は、マーク３１２の中心位置を、下辺と上辺との間を、例えば１画素ずつ、または２画素ずつ等の間隔で移動させて表示させるようにしてもよい。また、制御部２４０は、マーク３１２を、画像３００の左右方向に移動させて表示してもよい。マーク３１２を左右に移動させて表示させる場合、制御部２４０は、マーク３１２を上下にも移動させて表示させるようにしてもよい。制御部２４０は、例えば、心拍数が予め定められている下限値未満の場合、マーク３１２を画像３００のマーク３１２の表示エリア内の左側かつ下側に移動させて表示し、心拍数が予め定められている上限値より高い場合、マーク３１２を画像３００のマーク３１２の表示エリア内の右側かつ上側に移動させて表示するようにしてもよい。この場合、制御部２４０は、画像３００の表示エリア内で、右上から左下、または左下から右上に斜め方向に移動するようにマーク３１２を表示されるようにしてもよい。なお、斜めに移動させる場合の移動方向は、左上から右下、右下から左上の斜め方向であってもよい。
【００３９】
また、制御部２４０は、マーク３１２の位置に応じて、報知部２７０から音を報知するようにしてもよい。制御部２４０は、例えば、画像３００ｄ（図７）の場合、高い周波数の第１の音を報知部２７０から報知し、画像３００ｂ（図７）の場合、第１の音より低い周波数の第２の音を報知部２７０から報知するようにしてもよい。
【００４０】
また、本実施形態では、心拍計測装置１００と出力装置２００が分離している例を説明したが、心拍計測装置１００が出力装置２００を有していてもよい。
なお、本実施形態では、図４、図７に示したように、心拍数を示す画像３１１、マーク３１２、及び心拍数の状態を示す文字画像３１３を、表示部２５０の左右に一列に配置して表示する例を説明したが、これに限られない。心拍数を示す画像３１１、マーク３１２、及び心拍数の状態を示す文字画像３１３は、縦に配置して表示するようにしてもよい。
なお、本実施形態では、生体情報検出装置の例として心拍数を検出して表示する例を説明したが、検出する生体信号は、例えば脳波、血圧等の他の生体信号であってもよい。
【００４１】
なお、心拍数の算出は、心拍計測装置１００側で行ってもよく、出力装置２００側で行ってもよい。
なお、上述した出力装置２００は、利用者の腕に装着する腕時計であってもよい。また、出力装置２００は、表示部を有する携帯電話機等の携帯端末であってもよい。この場合、携帯端末が表示部と制御部を有し、制御部は、心拍計測装置１００からの心拍数を示す情報を受信し、受信した心拍数を示す情報に基づいて、マーク３１２を移動させて表示部に表示するようにしてもよい。
【００４２】
なお、本実施形態では、出力装置２００の制御部２４０が、心拍計測装置１００から受信した心拍数を示す情報に基づいて、表示部２５０にマーク３１２を順次、表示する例を説明したが、これに限られない。例えば、制御部２４０内に記憶部を備え、制御部２４０は、利用者がランニング等を行ったときの心拍数を示す情報を記憶部に記憶させておくようにしてもよい。そして、制御部２４０は、記憶部に記憶させた心拍数を示す情報を順次、読み出して、利用者の運動後に表示部２５０にマーク３１２、心拍数３１１等の情報を表示するようにしてもよい。
【００４３】
なお、本発明における制御部２４０の機能を実現するためのプログラムをコンピュータ読み取り可能な記録媒体に記録して、この記録媒体に記録されたプログラムをコンピュータシステムに読み込ませ、実行することにより表示部２５０にマーク等を表示させる制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００４５】
１…心拍計測システム、１００…心拍計測装置、２００…出力装置、１１０…電源部、１２０…計測部、１２１…電極、１２２…電極、１２３…装着検出回路、１２４…心拍検出回路、１２５…制御部、１３０…送信回路、１４０…アンテナ、２１０…電源部、２２０…アンテナ、２３０…受信回路、２４０…制御部、２５０…表示部２５０…入力部、２７０…報知部、２８０…照明部、２９０…装着部、３００…画像、３１２…マーク
【図１】
2014131553.tif 000003
【図２】
2014131553.tif 000004
【図３】
2014131553.tif 000005
【図４】
2014131553.tif 000006
【図５】
2014131553.tif 000007
【図６】
2014131553.tif 000008
【図７】
2014131553.tif 000009